(57)【要約】      （修正有）【課題】被照射面の全体に対して所定の照度で光が照射される状態を確保する。【解決手段】航空機の所定の被照射面に光を照射する航空機用灯具１において、開口を有するランプハウジング２とランプハウジングに開口を閉塞した状態で取り付けられたカバー３とによって構成され内部空間が配置空間５として形成された灯具外筐４と、配置空間において被照射面に対して傾斜された配置面８ａに配置され光源１４として発光ダイオードを有する光源ユニット１２と、配置空間に配置され光源から出射される光の照射方向を制御する制御レンズ部１７を有するインナーレンズ１５とを備える。制御レンズ部が長手方向と短手方向を有する形状に形成され、長手方向と短手方向が上下方向及び左右方向に対して光源光軸回り方向へ回転する方向に配置される。【選択図】図４
2020119636.tif 000002
【特許請求の範囲】
【請求項１】
航空機の所定の被照射面に光を照射する航空機用灯具であって、
開口を有するランプハウジングと前記ランプハウジングに前記開口を閉塞した状態で取り付けられたカバーとによって構成され内部空間が配置空間として形成された灯具外筐と、
前記配置空間において前記被照射面に対して傾斜された配置面に配置され光源として発光ダイオードを有する光源ユニットと、
前記配置空間に配置され前記光源から出射される光の照射方向を制御する制御レンズ部を有するインナーレンズとを備え、
前記制御レンズ部が長手方向と短手方向を有する形状に形成され長手方向と短手方向が上下方向及び左右方向に対して光源光軸回り方向へ回転する方向にされた
航空機用灯具。
【請求項２】
前記光源から出射される光の配光パターンが略楕円形状に形成される
請求項１に記載の航空機用灯具。
【請求項３】
前記光源は複数が設けられ、
前記制御レンズ部は前記光源と同数が設けられ、
前記複数の光源からそれぞれ出射された光が各制御レンズ部によって照射方向を制御される
請求項１又は請求項２に記載の航空機用灯具。
【請求項４】
前記複数の制御レンズ部が並んで設けられ、
隣り合う前記制御レンズ部の各一部が重なった状態にされた
請求項３に記載の航空機用灯具。
【発明の詳細な説明】
【技術分野】
【０００１】
本発明は灯具外筐の内部に光源が配置され航空機の機体等に取り付けられて使用される航空機用灯具についての技術分野に関する。
【背景技術】
【０００２】
航空機用灯具には、カバーとランプハウジングによって構成された灯具外筐の内部に光源が配置されたものがある（例えば、特許文献１及び特許文献２参照）。
【０００３】
このような航空機用灯具には、使用用途に応じて様々な種類が存在し、外部照明として、例えば、航空機同士の衝突を防止する衝突防止灯、機体の飛行姿勢や飛行方向を示す航空灯、離着陸時に滑走路を照射する着陸灯、機体に記された航空会社等のロゴを照明するロゴ灯等が存在する。
【先行技術文献】
【特許文献】
【０００４】
【特許文献１】特開２０１０−３３８４０号公報
【特許文献２】特開２０１０−３３８４１号公報
【発明の概要】
【発明が解決しようとする課題】
【０００５】
このような外部照明においては、被照射面の全体に対して所定の照度で光が照射されることが望まれる。特に、機体に記されたロゴを照明するロゴ灯においては、機体の形状や機体に対するロゴの位置に応じて被照射面の範囲や大きさが設定されるため、このような被照射面の範囲や大きさに応じて配光を設定する必要がある。
【０００６】
そこで、本発明航空機用灯具は、被照射面の全体に対して所定の照度で光が照射される状態を確保することを目的とする。
【課題を解決するための手段】
【０００７】
第１に、本発明に係る航空機用灯具は、航空機の所定の被照射面に光を照射する航空機用灯具であって、開口を有するランプハウジングと前記ランプハウジングに前記開口を閉塞した状態で取り付けられたカバーとによって構成され内部空間が配置空間として形成された灯具外筐と、前記配置空間において前記被照射面に対して傾斜された配置面に配置され光源として発光ダイオードを有する光源ユニットと、前記配置空間に配置され前記光源から出射される光の照射方向を制御する制御レンズ部を有するインナーレンズとを備え、前記制御レンズ部が長手方向と短手方向を有する形状に形成され長手方向と短手方向が上下方向及び左右方向に対して光源光軸回り方向へ回転する方向にされたものである。
【０００８】
これにより、長手方向と短手方向が上下方向及び左右方向に対して光源光軸回り方向へ回転する方向にされた制御レンズ部によって制御されて光が被照射面へ向けて照射される。
【０００９】
第２に、上記した本発明に係る航空機用灯具においては、前記光源から出射される光の配光パターンが略楕円形状に形成されることが望ましい。
【００１０】
これにより、配光パターンが一方向に長くなる形状に形成される。
【００１１】
第３に、上記した本発明に係る航空機用灯具においては、前記光源は複数が設けられ、前記制御レンズ部は前記光源と同数が設けられ、前記複数の光源からそれぞれ出射された光が各制御レンズ部によって照射方向を制御されることが望ましい。
【００１２】
これにより、被照射面へ向かう光束量が大きくなる。
【００１３】
第４に、上記した本発明に係る航空機用灯具においては、前記複数の制御レンズ部が並んで設けられ、隣り合う前記制御レンズ部の各一部が重なった状態にされることが望ましい。
【００１４】
これにより、各一部が重なった状態で複数の制御レンズ部が並ぶ状態にされる。
【発明の効果】
【００１５】
本発明によれば、長手方向と短手方向が上下方向及び左右方向に対して光源光軸回り方向へ回転する方向にされた制御レンズ部によって制御されて光が被照射面へ向けて照射されるため、被照射面の全体に対して所定の照度で光が照射される状態を確保することができる。
【図面の簡単な説明】
【００１６】
【図１】図２乃至図６と共に本発明航空機用灯具の実施の形態を示すものであり、本図は、航空機の一部を示す斜視図である。
【図２】航空機用灯具の斜視図である。
【図３】航空機用灯具の平面図である。
【図４】航空機用灯具の断面図である。
【図５】インナーレンズの正面図である。
【図６】被照射面に対する光の照射状態を説明する図である。
【発明を実施するための形態】
【００１７】
以下に、本発明航空機用灯具を実施するための形態について添付図面を参照して説明する。
【００１８】
航空機用灯具は灯具外筐の内部に光源が配置され、灯具外筐がランプハウジングとカバーによって構成されているが、以下の説明にあっては、ランプハウジングとカバーの結合方向を上下方向とし、カバーを上方とし、ランプハウジングを下方とし、前後上下左右の方向を示すものとする。
【００１９】
尚、以下に示す前後上下左右の方向は説明の便宜上のものであり、本発明の実施に関しては、これらの方向に限定されることはない。
【００２０】
以下には、本発明の航空機用灯具を外部照明であるロゴ灯に適用した例を示したが、本発明の適用範囲はロゴ灯に限られることはなく、航空機に用いられる他の外部照明に適用されてもよい。また、以下には、航空機用灯具によって照明される被照射面が垂直尾翼の各面である例を示すが、航空機用灯具によって照明される被照射面は垂直尾翼の各面に限られず、航空機における垂直尾翼以外の被照射面や航空機以外の他の被照射面であってもよい。
【００２１】
航空機用灯具１は、例えば、外部照明であるロゴ灯として用いられ、航空機の機体１００、例えば、後側の双方の水平尾翼２００、２００にそれぞれ取り付けられ、垂直尾翼３００に記された図示しないロゴを照明する機能を有している（図１参照）。従って、一方の航空機用灯具１から出射された光は垂直尾翼３００における左右の一方の面に照射され、他方の航空機用灯具１から出射された光は垂直尾翼３００における左右の他方の面に照射され、垂直尾翼３００の左右の面はそれぞれ被照射面３０１、３０１とされる。
【００２２】
水平尾翼２００には図示しない配置凹部が形成され、水平尾翼２００には配置凹部を覆う取付板５０が取り付けられている（図２乃至図４参照）。取付板５０には上下に貫通された配置孔５０ａが形成されている。
【００２３】
航空機用灯具１は上端に開口を有するランプハウジング２とランプハウジング２の開口を閉塞した状態でランプハウジング２に取り付けられたカバー３とを備えている。ランプハウジング２とカバー３によって灯具外筐４が構成され、灯具外筐４の内部空間が配置空間５として形成されている。
【００２４】
ランプハウジング２は、例えば、アルミニウム等の金属材料によって各部が一体に形成されて成る。ランプハウジング２は上下方向を向く底面部６と底面部６の外周部から突出された周面部７とを有している（図３及び図４参照）。周面部７の一部は傾斜部８として設けられ、傾斜部８は底面部６に対して傾斜されている。傾斜部８は上方へ行くに従って左右方向において垂直尾翼３００から離隔する方向へ傾斜されている。傾斜部８の内面は配置面８ａとして形成され、配置面８ａは被照射面３０１に対して傾斜されている。
【００２５】
ランプハウジング２には放熱フィン９、９、・・・が前後に離隔して設けられている。放熱フィン９、９、・・・は傾斜部８の外面側に設けられている。
【００２６】
ランプハウジング２には底面部６から上方に突出された取付ボス１０、１０、・・・が前後左右に離隔して設けられている。
【００２７】
カバー３は外周部が、例えば、ネジ止め等によって取付板５０に内面側から取り付けられ、カバー３の外周部を除く部分が配置孔５０ａに配置されている。
【００２８】
灯具外筐４の配置空間５には制御基板１１が配置されている。制御基板１１は取付ボス１０、１０、・・・に、例えば、ネジ部材２０、２０、・・・によって取り付けられている。制御基板１１は後述する光源の点消灯状態を制御する機能を有している。
【００２９】
傾斜部８の配置面８ａには光源ユニット１２が配置されている。従って、光源ユニット１２は垂直尾翼３００に対して傾斜されている。光源ユニット１２は平板状の基板１３と基板１３に搭載された光源１４、１４、・・・とを有し、光源１４、１４、・・・としては、例えば、発光ダイオードが用いられている。基板１３の外周部には図示しないネジ挿通孔が形成されている。
【００３０】
傾斜部８には光源ユニット１２を覆う状態でインナーレンズ１５が取り付けられている。従って、インナーレンズ１５は垂直尾翼３００に対して傾斜されている。インナーレンズ１５は、例えば、ガラスや樹脂等の透明材料によって形成され、被取付板部１６と制御レンズ部１７、１７、・・・が一体に形成されている（図４及び図５参照）。
【００３１】
被取付板部１６は略矩形状に形成され、四隅に挿通孔１６ａ、１６ａ、・・・を有している。
【００３２】
制御レンズ部１７、１７、・・・は、例えば、上下左右に隣接して位置され、例えば、上側に四つが前後に並んで設けられ、下側に二つが前後に並んで設けられ、光源１４、１４、・・・と同数が設けられている。制御レンズ部１７、１７、・・・は被取付板部１６の厚み方向における一方の面から突出され、突出方向における表面１７ａが突出方向において凸の曲面に形成されている。制御レンズ部１７、１７、・・・は中央部がそれぞれ光源１４、１４、・・・に対応して位置されている。
【００３３】
制御レンズ部１７、１７、・・・は隣り合う側の端部が重なった状態にされている。具体的には、例えば、上下に並ぶ二つずつの制御レンズ部１７、１７、・・・の端部が重なった状態にされ、上側の制御レンズ部１７、１７の下端部と下側の制御レンズ部１７、１７の上端部とが重なった状態にされている。尚、インナーレンズ１５においては、例えば、左右に並ぶ制御レンズ部１７、１７、・・・の端部が重なった状態にされていてもよい。
【００３４】
制御レンズ部１７は長手方向Ｌと短手方向Ｓを有する形状に形成され、長手方向Ｌと短手方向Ｓが上下方向Ｙ及び左右方向Ｘに対して光源光軸回り方向へ回転する方向にされている。光源光軸Ｓは光源１４からインナーレンズ１５に向かう光の出射方向であり（図４参照）、光源光軸回り方向は光源光軸を基準とした周方向である。具体的には、制御レンズ部１７は被取付板部１６の厚み方向である光軸方向から見た形状が、例えば、略楕円形状に形成され、長手方向Ｌ（長軸方向）が上下方向Ｙに対して光源光軸回り方向へ稍傾斜された方向にされ、短手方向Ｓ（短軸方向）が左右方向Ｘに対して光源光軸回り方向へ稍傾斜された方向にされている。
【００３５】
インナーレンズ１５の被取付板部１６には制御レンズ部１７、１７、・・・の反対方向に開口する凹状部１５ａが形成され、凹状部１５ａは制御レンズ部１７、１７、・・・が形成された範囲に位置されている。
【００３６】
インナーレンズ１５は挿通孔１６ａ、１６ａ、・・・と基板１３のネジ挿通孔を順に挿通された取付ネジ３０、３０、・・・が傾斜部８に螺合されることによって傾斜部８に取り付けられる。従って、インナーレンズ１５と光源ユニット１２は取付ネジ３０、３０、・・・によって同時に傾斜部８に取り付けら、光源ユニット１２がインナーレンズ１５に覆われる。
【００３７】
インナーレンズ１５が傾斜部８に取り付けられた状態においては、凹状部１６ａに光源１４、１４、・・・が配置され、上記したように、制御レンズ部１７、１７、・・・の中央部がそれぞれ光源１４、１４、・・・に対応して位置される。
【００３８】
上記のように構成された航空機用灯具１において、光源１４、１４、・・・から光が出射されると、出射された光はそれぞれインナーレンズ１５の制御レンズ部１７、１７、・・・に入射されて制御レンズ部１７、１７、・・・によって集光するように制御され、制御レンズ部１７、１７、・・・からカバー３を透過されて垂直尾翼３００の被照射面３０１に照射される。
【００３９】
制御レンズ部１７によって制御された光は略楕円形状の配光Ａに形成されて垂直尾翼３００に照射される（図６参照）。このとき楕円形状の配光Ａは長軸方向が垂直尾翼３００の長手方向Ｐに一致される向きで形成され、光が被照射面３０１の全体に照射される。特に、制御レンズ部１７によって制御された光は垂直尾翼３００の長手方向Ｐにおける両側の端部３００ａ、３００ｂにも照射され、被照射面３０１の全体に対して十分な照度で光が照射される。
【００４０】
尚、航空機用灯具１においては、制御レンズ部１７、１７、・・・の制御により光源１４、１４、・・・から出射される各光の何れもが被照射面３０１の全体に照射される構成にされてもよく、また、制御レンズ部１７、１７、・・・の制御により光源１４、１４、・・・から出射される各光がそれぞれ被照射面３０１の各部分に照射され全体として被照射面３０１の全体の照明が行われる構成にされてもよい。
【００４１】
上記のように、光源１４、１４、・・・から光が出射されるときには制御基板１１と光源ユニット１２において熱が発生するが、発生した熱はランプハウジング２の底面部６や傾斜部８から外部に放出され、又は、底面部６や傾斜部８から放熱フィン９、９、・・・に伝達されて放熱フィン９、９、・・・から外部に放出される。従って、良好な放熱性能が確保され、制御基板１１と光源ユニット１２の安定した駆動状態が確保される。
【００４２】
以上に記載した通り、航空機用灯具１にあっては、被照射面３０１に対して傾斜された配置面８ａに配置され光源１４として発光ダイオードを有する光源ユニット１２と、光源１４から出射される光の照射方向を制御する制御レンズ部１７を有するインナーレンズ１５とを備え、制御レンズ部１７の長手方向Ｌと短手方向Ｓが上下方向Ｙ及び左右方向Ｘに対して光源光軸回り方向へ回転する方向にされている。
【００４３】
従って、長手方向Ｌと短手方向Ｓが上下方向Ｙ及び左右方向Ｘに対して光源光軸回り方向へ回転する方向にされた制御レンズ部１７によって制御されて光が被照射面３０１へ向けて照射されるため、被照射面３０１の全体に対して所定の照度で光が照射される状態を確保することができる。
【００４４】
また、制御レンズ部１７の長手方向Ｌと短手方向Ｓが上下方向Ｙ及び左右方向Ｘに対して光源光軸回り方向へ回転する方向にされている。
【００４５】
従って、航空機用灯具１、１を対称な位置に配置して左右の被照射面３０１、３０１の全体にそれぞれ光を照射することが可能になり、双方の航空機用灯具１、１の共通化による製造コストの低減を図ることができる。
【００４６】
さらに、光源１４から出射される光の配光パターンが略楕円形状に形成されるため、配光パターンが一方向に長くなる形状に形成され、垂直尾翼３００のように被照射面３０１が長手方向Ｐを有する形状に形成されている場合に、被照射面３０１の全体を明るく照明することができる。
【００４７】
さらにまた、光源１４は複数が設けられ、制御レンズ部１７は光源１４と同数が設けられ、複数の光源１４からそれぞれ出射された光が各制御レンズ部１７によって照射方向を制御されるため、配光に関する自由度の向上を図ることができると共に被照射面３０１へ向かう光束量が大きくなり被照射面３０１の全体を明るく照らすことができる。
【００４８】
加えて、複数の制御レンズ部１７が並んで設けられ、隣り合う制御レンズ部１７の各一部が重なった状態にされているため、各一部が重なった状態で複数の制御レンズ部１７が並ぶ状態にされており、インナーレンズ１５及びインナーレンズ１５が設けられる航空機用灯具１の小型化を図ることができる。
【００４９】
尚、隣り合う制御レンズ部１７の各一部が重なった状態にされることにより、光源１４から出射される光のロスが生じる可能性があるが、制御レンズ部１７の外周部を透過する光（周辺光）は光束量が小さいため、光のロスは少なく、隣り合う制御レンズ部１７の各一部が重なった状態においても、被照射面３０１の全体に対して所定の照度で光を照射することが可能である。
【００５０】
また、上記には、制御レンズ部１７の長手方向Ｌと短手方向Ｓが上下方向Ｙ及び左右方向Ｘに対して光源光軸回り方向へ回転する方向にされた例を示したが、航空機用灯具１が機体１００に対して配置される向きによっては、制御レンズ部１７の長手方向Ｌと短手方向Ｓが上下方向Ｙ及び前後方向に対して光源光軸回り方向へ回転する方向にされることも考えられる。また、航空機用灯具１が機体１００に対して配置される向きによっては、制御レンズ部１７の長手方向Ｌと短手方向Ｓが左右方向Ｘ及び前後方向に対して光源光軸回り方向へ回転する方向にされることも考えられる。
【００５１】
即ち、制御レンズ部１７の長手方向Ｌと短手方向Ｓが鉛直方向及び水平方向に対して光源光軸回り方向へ回転する方向にされる。
【符号の説明】
【００５２】
１…航空機用灯具、２…ランプハウジング、３…カバー、４…灯具外筐、５…配置空間、８ａ…配置面、１２…光源ユニット、１４…光源、１５…インナーレンズ、１７…制御レンズ部、３０１…被照射面
【図１】
2020119636.tif 000003
【図２】
2020119636.tif 000004
【図３】
2020119636.tif 000005
【図４】
2020119636.tif 000006
【図５】
2020119636.tif 000007
【図６】
2020119636.tif 000008